(57)【特許請求の範囲】
【請求項１】
底板と外壁とを有するトレイ本体と、トレイ本体の底板に対してそれぞれが略垂直となるように配設された複数の仕切り壁により区画される複数の保持部と、複数の保持部の外側に形成されてファイバ心線を収納する余長収納部とを備え、前記保持部単体ではその中に接続コネクタ、第１の融着スリーブ、または、第２の融着スリーブの何れか一つを保持させるようにした融着トレイであって、前記保持部は、
単体の保持部を形成する二個の仕切り壁の対向する内側の壁面が、それら二個の仕切り壁の長手方向中央部分で幅方向に最も広くその長手方向中央部分の両外側の部分で幅方向に狭く長手方向両端部で幅方向に最も狭く形成され、かつ、前記保持部を形成する二個の仕切り壁の間にある底板の底面が、二個の仕切り壁の長手方向中央部分で最も深くその長手方向中央部分の両外側の部分で浅く長手方向両端部で最も浅くした多段の溝が形成され、
長手方向中央部分に接続コネクタ、長手方向中央部分の両外側の部分に第１の融着スリーブ、または、長手方向両端部に第２の融着スリーブが当接されて保持されることを特徴とする融着トレイ。
【発明の詳細な説明】
【０００１】
【発明の属する技術分野】
本発明は、光ファイバ心線の接続部を収納する融着トレイに関する。
【０００２】
【従来の技術】
従来、光ファイバ心線の接続部を収納する融着トレイの内側には、光ファイバ心線を融着接続した融着スリーブ部または接続コネクタを収納して保持する保持部が形成されていた。
【０００３】
【発明が解決しようとする課題】
しかしながら、光ファイバ心線の種類、接続の方法等により、融着スリーブ部または接続コネクタの寸法・形状はまちまちとなる。そこで通常は、それらのスリーブ部、コネクタの全てが収納可能なように、その中の最大のものに合わせて収納部の寸法・形状が形成されている。その結果、最大のスリーブ部等を収納した場合は、スリーブ部等が確実に保持されるものの、小型のスリーブ部等については、保持部に余裕を生じゆるい状態で保持されることになって保持部の中で移動可能となる。
【０００４】
このように、一旦、収納保持したスリーブ部が保持部内で移動可能であると、それに連なる光ファイバ心線の余長部の曲げ半径が変化することがあり、許容される曲げ半径以下になると、伝送エラーを発生することがあった。そこで、本発明は、光ファイバ心線の接続部の寸法・形状がまちまちであっても、それらを確実に収納・保持して、伝送エラーの発生を防ぐことが可能な融着トレイを提供することを課題とした。
【０００５】
【課題を解決するための手段】
上記課題を解決するために、本発明は、
底板と外壁とを有するトレイ本体と、トレイ本体の底板に対してそれぞれが略垂直となるように配設された複数の仕切り壁により区画される複数の保持部と、複数の保持部の外側に形成されてファイバ心線を収納する余長収納部とを備え、前記保持部単体ではその中に接続コネクタ、第１の融着スリーブ、または、第２の融着スリーブの何れか一つを保持させるようにした融着トレイであって、前記保持部は、
単体の保持部を形成する二個の仕切り壁の対向する内側の壁面が、それら二個の仕切り壁の長手方向中央部分で幅方向に最も広くその長手方向中央部分の両外側の部分で幅方向に狭く長手方向両端部で幅方向に最も狭く形成され、かつ、前記保持部を形成する二個の仕切り壁の間にある底板の底面が、二個の仕切り壁の長手方向中央部分で最も深くその長手方向中央部分の両外側の部分で浅く長手方向両端部で最も浅くした多段の溝が形成され、
長手方向中央部分に接続コネクタ、長手方向中央部分の両外側の部分に第１の融着スリーブ、または、長手方向両端部に第２の融着スリーブが当接されて保持されることを特徴とする。
【０００６】
【発明の実施の形態】
以下、図に沿って本発明の実施形態を説明する。
図１は本発明が適用される融着トレイの外観図であり、図(a)が上面図、図(b)がその側面図であり、図２は図１(a)を下方から見た側面図である。
図において、１はトレイ本体であり、主として底板２と外壁３，４とにより構成されている。光ファイバ心線（図示せず）は、図１(a)の上部左右に形成された導入口５，６から内部に引き込まれる。外壁３，４に囲まれた内部が心線の余長収納部となり、光ファイバ心線が収納される。
【０００７】
外壁３，４の上端からは舌状の抜止片７〜１４が内側に突設されて、収納された光ファイバ心線がトレイ本体１から抜け出るのを阻止する。同様に、底板２からも抜止片７〜１４と同レベルに抜止片１５，１６が外側に向けて突設され、光ファイバ心線が抜け出るのを阻止する。
外壁４の外側両端部には、トレイ本体１を複数段重ねた場合の連結部となる蝶番片１７，１８が上面と下面のレベルにそれぞれ突設されている。
【０００８】
この蝶番片１７，１８は、トレイ本体１が上下に重ねられた状態で、上下の蝶番片１７，１８が互いに組み合わせて、その中心部にピン（図示せず）を挿入することで蝶番となり、互いのトレイが回動自在に連結される。
また、図(a)に示されるように、トレイ本体１の左右の下端には、３点蝶番２１，２２が上面と下面のレベルにそれぞれ突設されており、トレイ本体１が閉じられた状態でこの３点蝶番２１，２２にピン（図示せず）を挿入すると、上下の蝶番が連結される。
【０００９】
すなわち、閉状態でこの３点蝶番２１，２２にピンを挿入することで、トレイ本体１を閉状態にロックすることができる。また、図(a)に示されるように、トレイ本体１の下部両端部には、係合突起２３，２４と係合受け２５，２６が上下対に突設されている。これらは、トレイ本体１が複数段重ねられて開閉操作される際に、閉状態で上下が互いが係合することでラッチ機構として作用し、閉状態を保持する。
【００１０】
次に、本発明の特徴であるところのスリーブの保持部について説明する。
外壁３，４により囲まれて形成された余長収納部中央の上部に３本分のスリーブ保持部３１と、下部に５本分のスリーブ保持部３２が形成されている。これら保持部は、底板２に平行な仕切壁３３を突設することで形成されている。この保持部３１，３２は、図示されているように、３種類のサイズのスリーブおよびコネクタを収納可能なように構成されている。
【００１１】
図３〜図６は、保持部３１，３２を長手方向垂直に切断した拡大断面図であり、図３に示されるように、底板２の上面は本来のレベル２ａとそれより１段深くしたレベル２ｂとさらにもう１段深くしたレベル２ｃの３段のレベルにより構成されている。同様に、水平幅方向に対向する仕切壁３３の間隔も、図１(a)に示されるように、中央部分を広くしその外側の部分を狭くし両端部をさらに狭くしている。このようにしたことで、図４では、長さが最も短くて最も太い機械的接続コネクタ３５を、中央の底板２の最も深いレベル２ｃの部分に収納している。
【００１２】
図５では、やや太くてやや短いテープスリーブ３６を、底板２の次に深いレベル２ｂでありかつ幅方向の間隔の広い部分に収納している。図６では、最も細くて最も長い単心スリーブ３７を底板２の通常のレベル２ａであって、長手方向両端の括れ部分より内側に収納している。これらコネクタ３５，スリーブ３６，３７は、底板２の段差、仕切壁３３の間隔の段差によってそれぞれ長手方向の端部が当接支持され、それにより、長手方向の移動が阻止され安定した状態で保持される。
【００１３】
保持部がこのように構成されたことで、一旦、光ファイバ心線およびスリーブ等をトレイ内に正常な状態で収納した後に、何らかの力が作用して光ファイバ心線が移動させられようとしても、スリーブまたはコネクタ部分で移動が阻止される。その結果、光ファイバ心線がその一部の移動により許容曲げ半径以下に変形されることによる伝送エラーの発生が防止される。
【００１４】
なお上述した例では、３種類のサイズ、形状の異なるコネクタ、スリーブを用いた場合を説明したが、さらに異なる形状、サイズのコネクタ、スリーブを用いる場合は、収納部をそれぞれの形状、寸法に合わせて段差を設けることでそれらを安定した状態で収納することが可能となる。
【００１５】
【発明の効果】
以上述べたように本発明によれば、融着スリーブまたは接続コネクタの保持部の底面に長手方向のサイズごとに段差を形成して、融着スリーブまたは接続コネクタをサイズに応じてその段差部分に嵌合させて保持させることで、長手方向の移動が阻止される。その結果、光ファイバ心線が誤って許容曲げ半径以下に曲げられることがなくなって、伝送エラーの発生が防止される。
【図面の簡単な説明】
【図１】本発明に係る実施形態の外観図である。
【図２】図１(a)の側面図である。
【図３】図１(a)の要部の拡大断面図である。
【図４】図１(a)の要部の拡大断面図である。
【図５】図１(a)の要部の拡大断面図である。
【図６】図１(a)の要部の拡大断面図である。
【符号の説明】
１  トレイ本体
２  底板
２ａ，２ｂ，２ｃ  レベル
３，４  外壁
５，６  導入口
７〜１６  抜止片
１７，１８  蝶番片
２１，２２  ３点蝶番
２３，２４  係合突起
２５，２６  係合受け
３１，３２  スリーブ保持部
３３  仕切壁
３５  機械的接続コネクタ
３６  テープスリーブ
３７  単心スリーブ
【図１】
0004159174.tif 000002
【図２】
0004159174.tif 000003
【図３】
0004159174.tif 000004
【図４】
0004159174.tif 000005
【図５】
0004159174.tif 000006
【図６】
0004159174.tif 000007